【手続補正書】
【提出日】平成17年6月16日(2005.6.16)
【手続補正１】
【補正対象書類名】明細書
【補正対象項目名】発明の名称
【補正方法】変更
【補正の内容】
【発明の名称】駆動装置、補正光学装置、像振れ補正装置、カメラ、交換レンズ及びカメラ本体
【手続補正２】
【補正対象書類名】明細書
【補正対象項目名】特許請求の範囲
【補正方法】変更
【補正の内容】
【特許請求の範囲】
【請求項１】
コイルと該コイルに対向して配置されるマグネットを含み、前記コイルに通電することにより移動部材を駆動する駆動手段を有し、前記コイルは前記移動部材と一体的に構成された駆動装置において、
前記コイルの駆動方向の幅と対向する前記マグネットの幅の関係を、前記コイルの幅に対し前記マグネットの幅を大きくすると共に、前記マグネットの幅を前記コイルの幅に前記移動部材の最大駆動量を加えた長さ以下とするようにしたことを特徴とする駆動装置。
【請求項２】
像振れを補正する為に移動可能な補正光学系と、コイルと該コイルに対向して配置されるマグネットを含み、前記コイルに通電することにより前記補正光学系を駆動する駆動手段とを有し、前記補正光学系と前記コイルは一体的に構成された補正光学装置において、
前記コイルの駆動方向の幅と対向する前記マグネットの幅の関係を、前記コイルの幅に対し前記マグネットの幅を大きくすると共に、前記マグネットの幅を前記コイルの幅に前記補正光学系の最大駆動量を加えた長さ以下とするようにしたことを特徴とする補正光学装置。
【請求項３】
前記補正光学系は、光軸に対し直交する方向に移動可能であり、前記駆動手段を成す前記コイル及びマグネットは、前記光軸に対し直交する方向に配置されていることを特徴とする請求項２記載の補正光学装置。
【請求項４】
振れを検出する振動検出手段と、請求項２又は３に記載の補正光学装置と、前記振動検出手段の出力に基づいて前記補正光学装置内の駆動手段を制御し、前記振れに起因する像振れ補正を行う制御手段とを有したことを特徴とする像振れ補正装置。
【請求項５】
請求項４に記載の像振れ補正装置を搭載したことを特徴とするカメラ。
【請求項６】
請求項４に記載の像振れ補正装置を搭載したことを特徴とする交換レンズ。
【請求項７】
請求項４に記載の像振れ補正装置を搭載した交換レンズに対して脱着可能なことを特徴とするカメラ本体。
【手続補正３】
【補正対象書類名】明細書
【補正対象項目名】０００１
【補正方法】変更
【補正の内容】
【０００１】
【発明の属する技術分野】本発明は、移動部材を駆動する駆動装置や、補正光学系を有する補正光学装置や、該補正光学装置を有する像振れ補正装置、該像振れ補正装置を搭載したカメラ、交換レンズ、カメラ本体の改良に関するものである。
【手続補正４】
【補正対象書類名】明細書
【補正対象項目名】００１３
【補正方法】変更
【補正の内容】
【００１３】
（発明の目的）本発明の目的は、移動部材（補正光学系等）の駆動量が大きい場合でも、大型化することなく、駆動効率の劣化を少なくすることのできる駆動装置、補正光学装置、像振れ補正装置、カメラ、交換レンズ及びカメラ本体を提供しようとするものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
【課題を解決するための手段】上記目的を達成するために、請求項１記載の本発明は、コイルと該コイルに対向して配置されるマグネットを含み、前記コイルに通電することにより移動部材を駆動する駆動手段を有し、前記コイルは前記移動部材と一体的に構成された駆動装置において、前記コイルの駆動方向の幅と対向する前記マグネットの幅の関係を、前記コイルの幅に対し前記マグネットの幅を大きくすると共に、前記マグネットの幅を前記コイルの幅に前記移動部材の最大駆動量を加えた長さ以下とするようにした駆動装置とするものである。
【手続補正７】
【補正対象書類名】明細書
【補正対象項目名】００１６
【補正方法】変更
【補正の内容】
【００１６】
上記目的を達成するために、請求項２及び３記載の本発明は、像振れを補正する為に移動可能な補正光学系と、コイルと該コイルに対向して配置されるマグネットを含み、前記コイルに通電することにより前記補正光学系を駆動する駆動手段とを有し、前記補正光学系と前記コイルは一体的に構成された補正光学装置において、前記コイルの駆動方向の幅と対向する前記マグネットの幅の関係を、前記コイルの幅に対し前記マグネットの幅を大きくすると共に、前記マグネットの幅を前記コイルの幅に前記補正光学系の最大駆動量を加えた長さ以下とするようにした補正光学装置とするものである。
【手続補正８】
【補正対象書類名】明細書
【補正対象項目名】００１７
【補正方法】変更
【補正の内容】
【００１７】
上記目的を達成するために、請求項４記載の本発明は、振れを検出する振動検出手段と、請求項２又は３に記載の補正光学装置と、前記振動検出手段の出力に基づいて前記補正光学装置内の駆動手段を制御し、前記振れに起因する像振れ補正を行う制御手段とを有した像振れ補正装置とするものである。
また、上記目的を達成するために、請求項５乃至７に記載の本発明は、請求項４に記載の像振れ補正装置を搭載したカメラ、交換レンズ、カメラ本体とするものである。
【手続補正９】
【補正対象書類名】明細書
【補正対象項目名】００２０
【補正方法】変更
【補正の内容】
【００２０】
同図中、８２はレンズ鏡筒、８３ｐ，８３ｙは各々カメラ縦振れ（ピッチ方向）振動、カメラ横振れ（ヨー方向）振動を検出する振動検出部であり、それぞれの振動検出方向を８４ｐ，８４ｙで示してある。８５は補正光学系（８７ｐ，８７ｙは各々補正光学系８５に推力を与えるコイル、８６ｐ，８６ｙは補正光学系８５の位置を検出する位置検手段）であり、該補正光学系８５は前記検出部８３ｐ，８３ｙの出力を目標値として駆動され、像面８８での安定を確保する。
【手続補正１０】
【補正対象書類名】明細書
【補正対象項目名】００２７
【補正方法】変更
【補正の内容】
【００２７】
前記第１，第２のピッチ駆動マグネット９，１２は、それぞれ第１のヨーク８，第２のヨーク１３に一体的に取り付けられており、矢印Ｂに示す様な磁束の流れをもつ閉磁路を構成している。６は前記第１，第２のピッチ駆動マグネット９，１２に対向するように挟まれるピッチ駆動用コイルであり、補正光学系であるところの補正レンズ１を支持する支持枠２に一体的に取り付けられると共に、通電により矢印Ｃ方向に駆動される。なお、図２（ａ）は、補正レンズ１が駆動中心に位置する状態を、図２（ｂ）は補正レンズ１が最大駆動量分だけ矢印Ｃ方向に駆動され、駆動端に位置する状態を、それぞれ示している。
【手続補正１１】
【補正対象書類名】明細書
【補正対象項目名】００６８
【補正方法】変更
【補正の内容】
【００６８】
（変形例）本発明は、カメラに適用した例を述べているが、これに限定されるものではなく、補正光学装置を具備した装置やその他の防振を必要とする装置、更には移動部材を所定の方向に往復動させる駆動装置への適用も可能である。
【手続補正１２】
【補正対象書類名】明細書
【補正対象項目名】００６９
【補正方法】変更
【補正の内容】
【００６９】
【発明の効果】以上説明したように、本発明によれば、移動部材の駆動量が大きい場合でも、大型化することなく、駆動効率の劣化を少なくすることができる駆動装置、補正光学装置、像振れ補正装置、カメラ、交換レンズ又はカメラ本体を提供できるものである。
【手続補正１３】
【補正対象書類名】明細書
【補正対象項目名】００７０
【補正方法】削除
【補正の内容】